(57)【要約】【課題】ＰＴＰシートから錠剤を取出した後においても錠剤の服用時期が分かり、誤った時期における錠剤の服用をより確実に防止できるＰＴＰシート等を提供する。【解決手段】ＰＴＰシート１は、容器フィルム３に形成された複数のポケット部２のそれぞれに錠剤５が収容されるとともに、該ポケット部２を塞ぐように容器フィルム３に対しカバーフィルムが取着されてなる。錠剤５には、その服用時期に関する情報を示す服用時期情報部５Ｆが設けられる。錠剤５自体に服用時期情報部５Ｆが設けられるため、この服用時期情報部５Ｆを確認することで、その錠剤５の服用時期を知ることができる。従って、ＰＴＰシート１から錠剤５を取出した後においても錠剤５の服用時期が分かることとなり、誤った時期における錠剤５の服用をより確実に防止することができる。【選択図】      図５
2020039532.tif 000002
【特許請求の範囲】
【請求項１】
容器フィルムに形成された複数のポケット部のそれぞれに錠剤が収容されるとともに、該ポケット部を塞ぐように前記容器フィルムに対しカバーフィルムが取着されてなるＰＴＰシートであって、
錠剤には、その服用時期に関する情報を示す服用時期情報部が設けられていることを特徴とするＰＴＰシート。
【請求項２】
前記容器フィルムは、透明又は半透明であり、
錠剤は、前記服用時期情報部の設けられた側の面が前記ポケット部と対向した状態で該ポケット部に収容されていることを特徴とする請求項１に記載のＰＴＰシート。
【請求項３】
錠剤には、前記服用時期情報部が設けられた面の裏面側に、服用時期に関する情報とは別の、該錠剤に関する製品情報を示す錠剤情報部が設けられていることを特徴とする請求項２に記載のＰＴＰシート。
【請求項４】
錠剤は、前記服用時期情報部の設けられた側の面が前記カバーフィルムのうち前記ポケット部を塞ぐ部位と対向した状態で該ポケット部に収容されていることを特徴とする請求項１又は２に記載のＰＴＰシート。
【請求項５】
前記カバーフィルムのうち前記容器フィルムへと取着される面の裏面であって、前記ポケット部を塞ぐ部位には、該ポケット部に収容される錠剤の服用時期に関する情報を示す蓋側服用時期情報部が設けられていることを特徴とする請求項１乃至４のいずれか１項に記載のＰＴＰシート。
【請求項６】
前記容器フィルムは、前記ポケット部の開口側端部から外側に延出形成され前記カバーフィルムの取着されるフランジ部を有するとともに、透明又は半透明であり、
前記カバーフィルムのうち前記フランジ部へと取着される面には、錠剤の服用時期に関する情報を示すフランジ側服用時期情報部が該錠剤の収容される前記ポケット部に対応して設けられており、
錠剤には、前記服用時期情報部が設けられた面の裏面側に、服用時期に関する情報とは別の、該錠剤に関する製品情報を示す錠剤情報部が設けられており、錠剤は、前記錠剤情報部の設けられた側の面が前記ポケット部と対向した状態で該ポケット部に収容されていることを特徴とする請求項１に記載のＰＴＰシート。
【請求項７】
前記容器フィルムは、前記ポケット部の開口側端部から外側に延出形成され前記カバーフィルムの取着されるフランジ部を有するとともに、透明又は半透明であり、
前記カバーフィルムのうち前記フランジ部へと取着される面には、錠剤の服用時期に関する情報を示すフランジ側服用時期情報部が該錠剤の収容される前記ポケット部に対応して設けられており、
錠剤は、前記服用時期情報部の設けられた側の面が前記ポケット部と対向した状態で該ポケット部に収容されていることを特徴とする請求項１に記載のＰＴＰシート。
【請求項８】
容器フィルムに形成された複数のポケット部のそれぞれに錠剤が収容されるとともに、該ポケット部を塞ぐように前記容器フィルムに対しカバーフィルムが取着されてなるＰＴＰシートを製造するためのＰＴＰ包装機であって、
搬送される帯状の前記容器フィルムに形成された前記ポケット部に対し錠剤を充填する充填手段と、
前記ポケット部に錠剤が充填された前記容器フィルムに対し、前記ポケット部を塞ぐようにして帯状の前記カバーフィルムを取着する取着手段と、
前記容器フィルムに前記カバーフィルムが取着されてなる帯状のＰＴＰフィルムからＰＴＰシートを切離す切離手段とを備え、
前記充填手段は、
錠剤を吸着搬送するとともに、所定の充填ポジションにて該錠剤の吸着を解除することで、前記充填ポジションへと搬送されてきた前記容器フィルムの前記ポケット部内へと該錠剤を充填可能に構成された搬送手段と、
該搬送手段により吸着搬送されている錠剤に対し、その服用時期に関する情報を示す服用時期情報部を印刷形成する錠剤印刷手段とを備え、
該錠剤印刷手段は、錠剤の充填される予定の前記ポケット部の位置に対応した前記服用時期情報部を該錠剤へと印刷形成するように構成されていることを特徴とするＰＴＰ包装機。
【請求項９】
前記容器フィルムは、透明又は半透明であり、
前記搬送手段は、前記服用時期情報部の設けられた側の面が前記ポケット部と対向するように該ポケット部へと錠剤を充填するように構成されていることを特徴とする請求項８に記載のＰＴＰ包装機。
【請求項１０】
錠剤のうち前記服用時期情報部が設けられた面の裏面側に、服用時期に関する情報とは別の、該錠剤に関する製品情報を示す錠剤情報部を印刷形成する第二錠剤印刷手段を備えることを特徴とする請求項８又は９に記載のＰＴＰ包装機。
【請求項１１】
前記搬送手段は、前記服用時期情報部の設けられた側の面が前記ポケット部の開口側に位置するように該ポケット部へと錠剤を充填するように構成されていることを特徴とする請求項８に記載のＰＴＰ包装機。
【請求項１２】
前記カバーフィルムのうち前記容器フィルムへと取着される面の裏面であって前記ポケット部を塞ぐ位置に、該ポケット部に充填される錠剤の服用時期に関する情報を示す蓋側服用時期情報部を印刷形成する蓋部対応印刷手段を備えることを特徴とする請求項８乃至１１のいずれか１項に記載のＰＴＰ包装機。
【請求項１３】
前記容器フィルムは、前記ポケット部の開口側端部から外側に延出形成され前記カバーフィルムの取着されるフランジ部を有するとともに、透明又は半透明であり、
前記カバーフィルムは、前記フランジ部へと取着される面に、錠剤の服用時期に関する情報を示すとともに、前記容器フィルムへと取着された状態において該錠剤の収容される前記ポケット部に対応して設けられるフランジ側服用時期情報部を有し、
錠剤のうち前記服用時期情報部が設けられた面の裏面側に、服用時期に関する情報とは別の、該錠剤に関する製品情報を示す錠剤情報部を印刷形成する第二錠剤印刷手段を備え、
前記搬送手段は、前記錠剤情報部の設けられた側の面が前記ポケット部と対向するように該ポケット部へと錠剤を充填するように構成されていることを特徴とする請求項８に記載のＰＴＰ包装機。
【請求項１４】
前記容器フィルムは、前記ポケット部の開口側端部から外側に延出形成され前記カバーフィルムの取着されるフランジ部を有するとともに、透明又は半透明であり、
前記カバーフィルムは、前記フランジ部へと取着される面に、錠剤の服用時期に関する情報を示すとともに、前記容器フィルムへと取着された状態において該錠剤の収容される前記ポケット部に対応して設けられるフランジ側服用時期情報部を有し、
前記搬送手段は、前記服用時期情報部の設けられた側の面が前記ポケット部と対向するように該ポケット部へと錠剤を充填するように構成されていることを特徴とする請求項８に記載のＰＴＰ包装機。
【発明の詳細な説明】
【技術分野】
【０００１】
本発明は、錠剤を収容してなるＰＴＰシート及びＰＴＰシートを製造するためのＰＴＰ包装機に関する。
【背景技術】
【０００２】
一般に医薬品等の分野において用いられるブリスタシートとしてＰＴＰ（プレススルーパック）シートが知られている。ＰＴＰシートは、錠剤が収容されるポケット部を有する容器フィルムと、その容器フィルムに対しポケット部の開口側を密封するように取着されるカバーフィルムとを備えている。
【０００３】
ＰＴＰシートは、ＰＴＰ包装機によって製造することができる。ＰＴＰ包装機は、搬送される帯状の容器フィルムに対しポケット部を形成する手段、該ポケット部に錠剤を充填する手段、ポケット部の開口側を密封するように容器フィルムに対し帯状のカバーフィルムを取着する手段、容器フィルム及びカバーフィルムからなる帯状のＰＴＰフィルムをＰＴＰシート単位に打ち抜く手段等を備えている。
【０００４】
ところで、錠剤の種類によっては、所定の服用時期（例えば、朝、夜などの時期）に服用することが定められていることがある。そこで、錠剤の服用時期に関する情報をカバーフィルムに印刷してなるＰＴＰシートが提案されている（例えば、特許文献１等参照）。このようなＰＴＰシートによれば、印刷内容を見ることで、いつ服用すべき錠剤であるのかを確認することができる。尚、特許文献１において、服用時期に関する情報としては、ポケット部の横列に対応して設けられた曜日、ポケット部の縦列に対応して設けられた時間帯（朝、夜など）等が挙げられている。
【先行技術文献】
【特許文献】
【０００５】
【特許文献１】特開２０１５−２１１５７８号公報
【発明の概要】
【発明が解決しようとする課題】
【０００６】
ところで、上記特許文献１のように、ＰＴＰシート（カバーフィルム）に服用時期に関する情報を設けた場合、ＰＴＰシート（ポケット部）から錠剤を取出す前であれば、ＰＴＰシートに印刷された前記情報を見ることで錠剤の服用時期が分かる。しかしながら、一旦ＰＴＰシートから錠剤を取出してしまうと、ＰＴＰシートの前記情報を見ても服用時期が分からなくなってしまい、服用すべきでない時期に錠剤を誤って服用してしまうおそれがある。
【０００７】
例えば、錠剤が朝及び夜のそれぞれにて服用されるべきものである場合において、ある曜日の朝に、錠剤の服用を忘れたとする。この場合、その日の夜に、朝に服用すべきだった錠剤と夜に服用する錠剤とをＰＴＰシートから取出すと、カバーフィルムの開封痕は正常状態（朝に服用する錠剤と夜に服用する錠剤とが取出された状態）を示し、該ＰＴＰシートの前記情報を見ても特に異常はないことになる。そのため、錠剤（朝に服用すべきだった錠剤）を誤った時期（夜）に服用してしまうおそれがある。尚、服用者は、錠剤を服用する際に、服用しようとする錠剤の数に基づき服用時期の正しくない錠剤が混じっていることに気付くことができるが、一度に多くの錠剤を服用する場合、錠剤の数から服用時期の正しくない錠剤の混入に気付くのは難しく、上記のような誤った時期の服用を行ってしまうことが懸念される。
【０００８】
本発明は、上記事情に鑑みてなされたものであり、その目的は、ＰＴＰシートから錠剤を取出した後においても錠剤の服用時期が分かり、誤った時期における錠剤の服用をより確実に防止することができるＰＴＰシート及びＰＴＰ包装機を提供することにある。
【課題を解決するための手段】
【０００９】
以下、上記目的を解決するのに適した各手段につき、項分けして説明する。なお、必要に応じて対応する手段に特有の作用効果を付記する。
【００１０】
手段１．容器フィルムに形成された複数のポケット部のそれぞれに錠剤が収容されるとともに、該ポケット部を塞ぐように前記容器フィルムに対しカバーフィルムが取着されてなるＰＴＰシートであって、
錠剤には、その服用時期に関する情報を示す服用時期情報部が設けられていることを特徴とするＰＴＰシート。
【００１１】
上記手段１によれば、錠剤自体に服用時期情報部が設けられているため、この服用時期情報部を確認することで、その錠剤の服用時期を知ることができる。従って、ＰＴＰシートから錠剤を取出した後においても錠剤の服用時期が分かることとなり、誤った時期における錠剤の服用をより確実に防止することができる。例えば、錠剤が朝及び夜に服用すべきものである場合において、ある曜日の朝に錠剤の服用を忘れたときに、その日の夜に、朝に服用すべきだった錠剤と夜に服用する錠剤とをＰＴＰシートから取出したとする。このとき、服用時期情報部を確認することで、取出された錠剤の中に朝に服用すべきだった錠剤が存在していることが分かる。そのため、錠剤（朝に服用すべきだった錠剤）を誤った時期（夜）に服用してしまうことをより確実に防止できる。
【００１２】
尚、「服用時期に関する情報」としては、曜日、時間帯、日付、服用の順番などを挙げることができる。また、「服用時期に関する情報」は、文字、記号、図柄、絵などの各種情報によって構成することができる。
【００１３】
手段２．前記容器フィルムは、透明又は半透明であり、
錠剤は、前記服用時期情報部の設けられた側の面が前記ポケット部と対向した状態で該ポケット部に収容されていることを特徴とする手段１に記載のＰＴＰシート。
【００１４】
上記手段２によれば、ＰＴＰシートから錠剤を取出す前には、透明又は半透明のポケット部を通して服用時期情報部を確認することができ、また、ＰＴＰシートから錠剤を取出した後には、取出した該錠剤の服用時期情報部を確認することができる。すなわち、ＰＴＰシートから錠剤を取出す前と後と双方とにおいて、服用時期情報部を確認することができる。そのため、誤った時期における錠剤の服用を一層確実に防止することができる。
【００１５】
手段３．錠剤には、前記服用時期情報部が設けられた面の裏面側に、服用時期に関する情報とは別の、該錠剤に関する製品情報を示す錠剤情報部が設けられていることを特徴とする手段２に記載のＰＴＰシート。
【００１６】
上記手段３によれば、少なくとも錠剤を取出した後には、錠剤情報部を確認することが可能となる。錠剤情報部を確認することで、服用すべき正しい錠剤であるか否かを把握することができ、誤った錠剤の服用をより確実に防止することができる。
【００１７】
尚、「錠剤に関する製品情報」としては、製品名、含量、剤形、製造元及びロット番号などを挙げることができる。
【００１８】
手段４．錠剤は、前記服用時期情報部の設けられた側の面が前記カバーフィルムのうち前記ポケット部を塞ぐ部位と対向した状態で該ポケット部に収容されていることを特徴とする手段１又は２に記載のＰＴＰシート。
【００１９】
上記手段４によれば、服用時期情報部がカバーフィルム側に位置するため、ＰＴＰシートにおけるカバーフィルム側（錠剤が取出される側）の面を見ながら錠剤を取出したときに、取出された錠剤の服用時期情報部を直ちに確認することができる。従って、誤った時期における錠剤の服用をより一層確実に防止することができる。
【００２０】
尚、上記手段２との関連においては、前記服用時期情報部が錠剤の表裏両面に設けられていることになる。
【００２１】
手段５．前記カバーフィルムのうち前記容器フィルムへと取着される面の裏面であって、前記ポケット部を塞ぐ部位には、該ポケット部に収容される錠剤の服用時期に関する情報を示す蓋側服用時期情報部が設けられていることを特徴とする手段１乃至４のいずれかに記載のＰＴＰシート。
【００２２】
上記手段５によれば、カバーフィルムのうち容器フィルムへと取着される面の裏面であってポケット部を塞ぐ部位、すなわち、カバーフィルムのうちポケット部を塞ぐとともに外部から容易に視認可能な部位には、蓋側服用時期情報部が設けられている。従って、カバーフィルム側（錠剤が取出される側）の面を見ながら錠剤を取出そうとするときに、蓋側服用時期情報部を見ることで、誤った錠剤の取出しをより確実に防止することができる。これにより、誤った時期における錠剤の服用防止をより効果的に図ることができる。
【００２３】
手段６．前記容器フィルムは、前記ポケット部の開口側端部から外側に延出形成され前記カバーフィルムの取着されるフランジ部を有するとともに、透明又は半透明であり、
前記カバーフィルムのうち前記フランジ部へと取着される面には、錠剤の服用時期に関する情報を示すフランジ側服用時期情報部が該錠剤の収容される前記ポケット部に対応して設けられており、
錠剤には、前記服用時期情報部が設けられた面の裏面側に、服用時期に関する情報とは別の、該錠剤に関する製品情報を示す錠剤情報部が設けられており、錠剤は、前記錠剤情報部の設けられた側の面が前記ポケット部と対向した状態で該ポケット部に収容されていることを特徴とする手段１に記載のＰＴＰシート。
【００２４】
上記手段６によれば、フランジ側服用時期情報部は、カバーフィルムのうち容器フィルム（フランジ部）へと取着される面に設けられているため、錠剤のサイズに関わらずフランジ側服用時期情報部を大きく表示させることができる。従って、ＰＴＰシートから錠剤を取出す前においては、透明又は半透明のフランジ部を通してフランジ側服用時期情報部を確認することで、錠剤の服用時期をより容易に把握することができる。一方、ＰＴＰシートから錠剤を取出した後においては、錠剤に設けられた服用時期情報部を確認することによって錠剤の服用時期を把握することができる。
【００２５】
また、透明又は半透明のポケット部を通して錠剤情報部を確認することが可能となるため、ＰＴＰシートから錠剤を取出す前に、服用すべき正しい錠剤であるか否かを把握することができる。これにより、誤った錠剤の服用を一層確実に防止することができる。
【００２６】
手段７．前記容器フィルムは、前記ポケット部の開口側端部から外側に延出形成され前記カバーフィルムの取着されるフランジ部を有するとともに、透明又は半透明であり、
前記カバーフィルムのうち前記フランジ部へと取着される面には、錠剤の服用時期に関する情報を示すフランジ側服用時期情報部が該錠剤の収容される前記ポケット部に対応して設けられており、
錠剤は、前記服用時期情報部の設けられた側の面が前記ポケット部と対向した状態で該ポケット部に収容されていることを特徴とする手段１に記載のＰＴＰシート。
【００２７】
上記手段７によれば、ＰＴＰシートから錠剤を取出す前において、錠剤に設けられた服用時期情報部と、カバーフィルムに設けられたフランジ側服用時期情報部とを透明又は半透明の容器フィルムを通して確認することができる。従って、フランジ側服用時期情報部と服用時期情報部とを比較することが容易となり、ポケット部に対応する服用時期の情報（フランジ側服用時期情報部）と、該ポケット部に充填された錠剤における服用時期の情報（服用時期情報部）とが正しい組合わせになっているか否かを容易に判別することができる。これにより、錠剤の誤充填に関する検査を容易に行うことが可能となる。
【００２８】
手段８．容器フィルムに形成された複数のポケット部のそれぞれに錠剤が収容されるとともに、該ポケット部を塞ぐように前記容器フィルムに対しカバーフィルムが取着されてなるＰＴＰシートを製造するためのＰＴＰ包装機であって、
搬送される帯状の前記容器フィルムに形成された前記ポケット部に対し錠剤を充填する充填手段と、
前記ポケット部に錠剤が充填された前記容器フィルムに対し、前記ポケット部を塞ぐようにして帯状の前記カバーフィルムを取着する取着手段と、
前記容器フィルムに前記カバーフィルムが取着されてなる帯状のＰＴＰフィルムからＰＴＰシートを切離す切離手段とを備え、
前記充填手段は、
錠剤を吸着搬送するとともに、所定の充填ポジションにて該錠剤の吸着を解除することで、前記充填ポジションへと搬送されてきた前記容器フィルムの前記ポケット部内へと該錠剤を充填可能に構成された搬送手段と、
該搬送手段により吸着搬送されている錠剤に対し、その服用時期に関する情報を示す服用時期情報部を印刷形成する錠剤印刷手段とを備え、
該錠剤印刷手段は、錠剤の充填される予定の前記ポケット部の位置に対応した前記服用時期情報部を該錠剤へと印刷形成するように構成されていることを特徴とするＰＴＰ包装機。
【００２９】
上記手段８によれば、搬送手段によって錠剤を吸着した状態で該錠剤に対し印刷が施され、その後、搬送手段による吸着が解除されることで、ポケット部へと錠剤が充填される。すなわち、吸着状態で服用時期情報部の形成された錠剤は、吸着状態を維持したまま充填ポジション側へと搬送され、充填ポジションにて吸着解除されることで、ポケット部へと充填される。そのため、錠剤が他の錠剤やホッパ等と擦れ合うことがなくなり、服用時期情報部が削れたり欠けたりして印刷内容が不明瞭となることをより確実に防止できる。これにより、印刷内容が明瞭なＰＴＰシートをより確実に得ることができる。
【００３０】
また、錠剤印刷手段は、錠剤の充填される予定のポケット部の位置に対応した服用時期情報部を該錠剤へと印刷する。例えば、ＰＴＰシートにおけるポケット部が縦３列横７列で配列されている場合、錠剤印刷手段は、縦１列目横１列目のポケット部に充填される予定の錠剤に対し、そのポケット部に対応する服用時期情報部を印刷し、また、縦１列目横２列目のポケット部に充填される予定の錠剤に対し、そのポケット部に対応する服用時期情報部を印刷するなど、充填対象となるポケット部の位置に合わせた適切な服用時期情報部を錠剤へと印刷する。これにより、例えば服用時期の順で錠剤が規則的に並んだＰＴＰシートなど、服用者にとって利用のしやすいＰＴＰシートをより確実に得ることができる。
【００３１】
さらに、上記手段８によれば、得られたＰＴＰシートにおいて、上記手段１と同様の作用効果が奏されることとなる。
【００３２】
手段９．前記容器フィルムは、透明又は半透明であり、
前記搬送手段は、前記服用時期情報部の設けられた側の面が前記ポケット部と対向するように該ポケット部へと錠剤を充填するように構成されていることを特徴とする手段８に記載のＰＴＰ包装機。
【００３３】
上記手段９によれば、得られたＰＴＰシートにおいて、上記手段２と同様の作用効果が奏されることとなる。
【００３４】
手段１０．錠剤のうち前記服用時期情報部が設けられた面の裏面側に、服用時期に関する情報とは別の、該錠剤に関する製品情報を示す錠剤情報部を印刷形成する第二錠剤印刷手段を備えることを特徴とする手段８又は９に記載のＰＴＰ包装機。
【００３５】
上記手段１０によれば、得られたＰＴＰシートにおいて、上記手段３と同様の作用効果が奏されることとなる。
【００３６】
手段１１．前記搬送手段は、前記服用時期情報部の設けられた側の面が前記ポケット部の開口側に位置するように該ポケット部へと錠剤を充填するように構成されていることを特徴とする手段８に記載のＰＴＰ包装機。
【００３７】
上記手段１１によれば、搬送手段は、服用時期情報部の設けられた側の面がポケット部の開口側に位置するようにポケット部へと錠剤を充填する。これにより、取着手段によって容器フィルムへとカバーフィルムを取着した後に、錠剤は、服用時期情報部の設けられた側の面がカバーフィルムのうちポケット部を塞ぐ部位と対向した状態となる。そのため、得られたＰＴＰシートにおいて、上記手段４と同様の作用効果が奏されることとなる。
【００３８】
手段１２．前記カバーフィルムのうち前記容器フィルムへと取着される面の裏面であって前記ポケット部を塞ぐ位置に、該ポケット部に充填される錠剤の服用時期に関する情報を示す蓋側服用時期情報部を印刷形成する蓋部対応印刷手段を備えることを特徴とする手段８乃至１１のいずれかに記載のＰＴＰ包装機。
【００３９】
上記手段１２によれば、得られたＰＴＰシートにおいて、上記手段５と同様の作用効果が奏されることとなる。
【００４０】
手段１３．前記容器フィルムは、前記ポケット部の開口側端部から外側に延出形成され前記カバーフィルムの取着されるフランジ部を有するとともに、透明又は半透明であり、
前記カバーフィルムは、前記フランジ部へと取着される面に、錠剤の服用時期に関する情報を示すとともに、前記容器フィルムへと取着された状態において該錠剤の収容される前記ポケット部に対応して設けられるフランジ側服用時期情報部を有し、
錠剤のうち前記服用時期情報部が設けられた面の裏面側に、服用時期に関する情報とは別の、該錠剤に関する製品情報を示す錠剤情報部を印刷形成する第二錠剤印刷手段を備え、
前記搬送手段は、前記錠剤情報部の設けられた側の面が前記ポケット部と対向するように該ポケット部へと錠剤を充填するように構成されていることを特徴とする手段８に記載のＰＴＰ包装機。
【００４１】
上記手段１３によれば、得られたＰＴＰシートにおいて、上記手段６と同様の作用効果が奏されることとなる。
【００４２】
手段１４．前記容器フィルムは、前記ポケット部の開口側端部から外側に延出形成され前記カバーフィルムの取着されるフランジ部を有するとともに、透明又は半透明であり、
前記カバーフィルムは、前記フランジ部へと取着される面に、錠剤の服用時期に関する情報を示すとともに、前記容器フィルムへと取着された状態において該錠剤の収容される前記ポケット部に対応して設けられるフランジ側服用時期情報部を有し、
前記搬送手段は、前記服用時期情報部の設けられた側の面が前記ポケット部と対向するように該ポケット部へと錠剤を充填するように構成されていることを特徴とする手段８に記載のＰＴＰ包装機。
【００４３】
上記手段１４によれば、得られたＰＴＰシートにおいて、上記手段７と同様の作用効果が奏されることとなる。
【００４４】
手段１５．前記錠剤印刷手段は、錠剤に対しインクの液滴を吐出する複数の吐出ノズルを有してなる印刷ヘッドを備え、
前記印刷ヘッドを定期的に移動させるヘッド移動手段を有することを特徴とする手段８乃至１４のいずれかに記載のＰＴＰ包装機。
【００４５】
上記手段１５によれば、印刷ヘッドを所定方向（例えばカバーフィルムの幅方向）に移動させるヘッド移動手段により印刷ヘッドと錠剤との相対位置関係を定期的に変えることで吐出ノズルを均等に使用することにより吐出ノズルにおけるインクの詰まりをより確実に防止することができる。その結果、服用時期情報部の印刷に係る不良をより生じにくくすることができ、不良錠剤ひいては不良シートの発生を抑えることができる。その結果、ＰＴＰシートの製造に係るコストの増大抑制を効果的に図ることができる。
【図面の簡単な説明】
【００４６】
【図１】第１実施形態におけるＰＴＰシートを示す斜視図である。
【図２】第１実施形態におけるＰＴＰシートの部分拡大断面図である。
【図３】表面側から見たときにおける錠剤の斜視図である。
【図４】裏面側から見たときにおける錠剤の斜視図である。
【図５】第１実施形態において、容器フィルム側から見たときにおけるＰＴＰシートの平面図である。
【図６】第１実施形態におけるＰＴＰフィルムを示す斜視図である。
【図７】第１実施形態において、カバーフィルム側から見たときにおけるＰＴＰシートの底面図である。
【図８】第１実施形態におけるＰＴＰ包装機の概略構成を示す模式図である。
【図９】第１実施形態における錠剤充填装置の概略構成を示す部分断面模式図である。
【図１０】ロータリドラム及び固定バルブを示す一部破断斜視図である。
【図１１】ロータリドラム及び固定バルブを示す一部破断斜視図である。
【図１２】吸着部を示すロータリドラムの部分拡大断面図である。
【図１３】印刷ヘッドの概略構成を示す模式図である。
【図１４】ＰＴＰシートの製造工程を示すフローチャートである。
【図１５】第２実施形態におけるＰＴＰシートを示す斜視図である。
【図１６】第２実施形態において、容器フィルム側から見たときにおける錠剤等を示す一部破断斜視図である。
【図１７】第２実施形態において、容器フィルム側から見たときにおけるＰＴＰシートの平面図である。
【図１８】第２実施形態において、カバーフィルム側から見たときにおける錠剤等を示す一部破断斜視図である。
【図１９】第２実施形態における錠剤充填装置の概略構成を示す部分断面模式図である。
【図２０】別の実施形態において、容器フィルム側から見たときにおけるＰＴＰシートの平面図である。
【発明を実施するための形態】
【００４７】
以下に、実施形態について図面を参照しつつ説明する。
〔第１実施形態〕
まずＰＴＰシートの構成について詳しく説明する。図１，２に示すように、ＰＴＰシート１は、複数のポケット部２を備えた容器フィルム３と、ポケット部２を塞ぐようにして容器フィルム３に取着されたカバーフィルム４とを有している。
【００４８】
本実施形態における容器フィルム３は、例えばＰＰ（ポリプロピレン）やＰＶＣ（ポリ塩化ビニル）等の透明の熱可塑性樹脂材料により形成され、透光性を有している。つまり、容器フィルム３は、透明又は半透明とされている。また、容器フィルム３は、ポケット部２の開口側端部から外側に延出形成されたフランジ部３Ａを有している。このフランジ部３Ａに対し、カバーフィルム４が取着されている。
【００４９】
カバーフィルム４は、例えばポリプロピレン樹脂等からなるシーラントが表面に設けられた不透明材料（例えばアルミニウム箔等）により構成されている。勿論、各フィルム３，４の材料は、これらに限定されるものではなく、他の材質のものを採用してもよい。
【００５０】
ＰＴＰシート１は、帯状の容器フィルム３及び帯状のカバーフィルム４から形成された帯状のＰＴＰフィルム６（図６参照）がシート状に打抜かれることによって製造されるものであり、平面視略矩形状に形成されている。ＰＴＰシート１には、その長手方向に沿って配列された７個のポケット部２からなるポケット列が、その短手方向に３列形成されている。つまり、ＰＴＰシート１には、縦方向（ＰＴＰシート１の長手方向）に沿って延びるポケット列が３列形成されるとともに、横方向（ＰＴＰシート１の短手方向）に沿って延びるポケット列が７列形成されている。各ポケット部２には、錠剤５が１つずつ収容されている。
【００５１】
本実施形態における錠剤５は、平面視円形状をなす円盤状の素錠であって、側面５Ａと、該側面５Ａを挟む表面５Ｂ及び裏面５Ｃとを有した構成となっている。また、側面５Ａは、表面５Ｂとの境界部を面取りするテーパ部５Ｄと、裏面５Ｃの境界部を面取りするテーパ部５Ｅとを備えている。
【００５２】
さらに、図３に示すように、錠剤５における表面５Ｂには、該錠剤５の服用時期に関する情報を示す服用時期情報部５Ｆが印刷形成されている。本実施形態において、図３に示す例では、服用時期情報部５Ｆとして、服用すべき曜日に関する文字（より詳しくは、曜日を省略して表した文字）及び時間帯に関する文字（図では、「朝」の文字）が印刷されている。尚、服用時期に関する情報を、記号、図柄、絵などの文字以外の各種情報によって構成してもよい。
【００５３】
一方、図４に示すように、錠剤５における裏面５Ｃには、服用時期に関する情報とは別の、該錠剤５に関する製品情報を示す錠剤情報部５Ｇが形成されている。本実施形態において、図４に示す例では、錠剤情報部５Ｇとして、錠剤５の製品名を示す文字と錠剤５における所定成分の含量を示す数字とが印刷されている。尚、錠剤５に関する製品情報は、「剤形」、「製造元」及び「ロット番号」などであってもよい。
【００５４】
また、ＰＴＰシート１において、錠剤５は、服用時期情報部５Ｆの設けられた側の面である表面５Ｂがポケット部２と対向した状態で該ポケット部２へと収容されている（図２参照）。そのため、図５に示すように、容器フィルム３側からＰＴＰシート１を見たとき、透明又は半透明のポケット部２を通して服用時期情報部５Ｆを視認可能である。
【００５５】
加えて、ＰＴＰシート１において、縦方向（ＰＴＰシート１の長手方向）に沿って並ぶ各ポケット部２に対し、服用時期情報部５Ｆにおける時間帯を示す文字が正しい曜日順で並ぶように錠剤５が収容されている。また、横方向（ＰＴＰシート１の短手方向）に沿って並ぶ各ポケット部２に対し、服用時期情報部５Ｆにおける時間帯を示す文字が時間的に正しい順序で並ぶように錠剤５が収容されている。このように、ＰＴＰシート１においては、錠剤５が服用時期の順で規則的に並んだ状態となっている。結果的に、ＰＴＰシート１において、各錠剤５には、それぞれ異なる種類の服用時期情報部５Ｆが印刷形成された状態となっている。
【００５６】
さらに、図７に示すように、カバーフィルム４のうち容器フィルム３へと取着される面の裏面であって、ポケット部２を塞ぐ部位である蓋部４Ａ（図７における二点鎖線で示す円の部位）には、該ポケット部２へと収容される錠剤５の服用時期に関する情報を示す蓋側服用時期情報部４Ｂが印刷形成されている。本実施形態において、図７に示す例では、蓋側服用時期情報部４Ｂとして、服用時期情報部５Ｆと同一内容の文字、すなわち服用すべき曜日及び時間帯に関する文字が印刷形成されている。
【００５７】
また、任意の１のポケット部２において、該ポケット部２に対応する蓋側服用時期情報部４Ｂの示す情報と、該ポケット部２に収容される錠剤５に設けられた服用時期情報部５Ｆの示す情報とは、同一内容とされる。例えば、本実施形態において、縦１列目横１列目のポケット部２に関し、該ポケット部２に対応する蓋側服用時期情報部４Ｂと、該ポケット部２に収容された錠剤５の服用時期情報部５Ｆとは、それぞれ「朝」という時間帯を示すための文字と「月曜日」という曜日を示すための文字（図では「月」の文字）とが印刷形成されたものとなっている。
【００５８】
次に、上記ＰＴＰシート１を製造するＰＴＰ包装機１０の概略構成について図８を参照して説明する。
【００５９】
図８に示すように、ＰＴＰ包装機１０の最上流側では、帯状の容器フィルム３の原反がロール状に巻回されている。ロール状に巻回された容器フィルム３の引出し端側は、ガイドロール１３に案内されている。容器フィルム３は、ガイドロール１３の下流側において間欠送りロール１４に掛装されている。間欠送りロール１４は、間欠的に回転するモータに連結されており、容器フィルム３を間欠的に搬送する。
【００６０】
ガイドロール１３と間欠送りロール１４との間には、容器フィルム３の搬送経路に沿って、加熱装置１５及びポケット部形成装置１６が順に配設されている。そして、加熱装置１５によって容器フィルム３が加熱されて該容器フィルム３が比較的柔軟になった状態において、ポケット部形成装置１６によって容器フィルム３の所定位置に複数のポケット部２が形成される。ポケット部２の形成は、間欠送りロール１４による容器フィルム３の搬送動作間のインターバルの際に行われる。
【００６１】
間欠送りロール１４から送り出された容器フィルム３は、テンションロール１８、ガイドロール１９及びフィルム受けロール２０の順に掛装されている。フィルム受けロール２０は、一定回転するモータに連結されているため、容器フィルム３を連続的に且つ一定速度で搬送する。テンションロール１８は、容器フィルム３を弾性力によって緊張する側へ引っ張った状態とされており、間欠送りロール１４とフィルム受けロール２０との搬送動作の相違による容器フィルム３の弛みを防止して容器フィルム３を常時緊張状態に保持する。
【００６２】
ガイドロール１９とフィルム受けロール２０との間には、容器フィルム３の搬送経路に沿って、錠剤充填装置２１及び検査装置２２が順に配設されている。
【００６３】
錠剤充填装置２１は、ポケット部２に錠剤５を充填する充填手段としての機能を有する。錠剤充填装置２１は、フィルム受けロール２０による容器フィルム３の搬送動作と同期して錠剤５を吸着搬送し、各ポケット部２に錠剤５を自動的に充填する。錠剤充填装置２１の詳細については後述する。
【００６４】
検査装置２２は、例えば錠剤５が各ポケット部２に確実に充填されているか否か、錠剤５の異常の有無、ポケット部２への異物混入の有無など、主として錠剤不良に関する検査を行う。
【００６５】
一方、帯状に形成されたカバーフィルム４の原反は、最上流側においてロール状に巻回されている。ロール状に巻回されたカバーフィルム４の引出し端は、ガイドロール２４によって加熱ロール２５の方へと案内されている。
【００６６】
加熱ロール２５は、前記フィルム受けロール２０に圧接可能となっており、両ロール２０，２５間に容器フィルム３及びカバーフィルム４が送り込まれるようになっている。そして、容器フィルム３及びカバーフィルム４が、両ロール２０，２５間を加熱圧接状態で通過することにより、容器フィルム３にカバーフィルム４が取着され、ポケット部２がカバーフィルム４で塞がれる。これにより、錠剤５が各ポケット部２に収容された帯状のＰＴＰフィルム６が製造される。フィルム受けロール２０及び加熱ロール２５により本実施形態における取着手段が構成される。
【００６７】
また、ロール状に巻回されたカバーフィルム４と両ロール２０，２５との間には、蓋部対応印刷装置２６が設けられている。蓋部対応印刷装置２６により本実施形態の蓋部対応印刷手段が構成される。
【００６８】
蓋部対応印刷装置２６は、例えば、インクジェット印刷機やオフセット印刷機、凸版印刷機或いはフレキソ印刷機等により構成されており、容器フィルム３に対する取着の直前に、カバーフィルム４におけるポケット部２を塞ぐ予定の部位（結果的に蓋部４Ａとなる部位）のそれぞれに蓋側服用時期情報部４Ｂを印刷形成する。尚、カバーフィルム４に予め設けられたマーク（図示せず）を所定のセンサ（図示せず）により検知することで、カバーフィルム４のうちポケット部２を塞ぐ予定の部位が検出され、該部位に対し蓋側服用時期情報部４Ｂが印刷形成される。
【００６９】
また、蓋側服用時期情報部４Ｂとして、各蓋部４Ａには、該蓋部４Ａによって塞がれることとなるポケット部２に充填される錠剤５の服用時期に関する情報が印刷形成される。例えば、あるポケット部２に充填される錠剤５に所定の曜日及び時間帯を示す服用時期情報部５Ｆが印刷される場合、このポケット部２を塞ぐ蓋部４Ａには、同内容の曜日及び時間帯を示す蓋側服用時期情報部４Ｂが印刷形成される。
【００７０】
フィルム受けロール２０から送り出されたＰＴＰフィルム６は、テンションロール２７及び間欠送りロール２８の順に掛装されている。間欠送りロール２８は、間欠的に回転するモータに連結されているため、ＰＴＰフィルム６を間欠的に搬送する。テンションロール２７は、ＰＴＰフィルム６を弾性力によって緊張する側へ引っ張った状態とされており、前記フィルム受けロール２０と間欠送りロール２８との搬送動作の相違によるＰＴＰフィルム６の弛みを防止してＰＴＰフィルム６を常時緊張状態に保持する。
【００７１】
間欠送りロール２８から送り出されたＰＴＰフィルム６は、テンションロール３１及び間欠送りロール３２の順に掛装されている。間欠送りロール３２は、間欠的に回転するモータに連結されているため、ＰＴＰフィルム６を間欠的に搬送する。テンションロール３１は、ＰＴＰフィルム６を弾性力によって緊張する側へ引っ張った状態とされており、前記間欠送りロール２８，３２間でのＰＴＰフィルム６の弛みを防止する。
【００７２】
間欠送りロール２８とテンションロール３１との間には、ＰＴＰフィルム６の搬送経路に沿って、スリット形成装置３３及び刻印装置３４が順に配設されている。スリット形成装置３３は、ＰＴＰフィルム６の所定位置に切離用スリットを形成する機能を有する。また、刻印装置３４はＰＴＰフィルム６の所定位置（例えばタグ部）に刻印を付す機能を有する。尚、図１等においては、切離用スリットなどを省略して図示している。
【００７３】
間欠送りロール３２から送り出されたＰＴＰフィルム６は、その下流側においてテンションロール３５及び連続送りロール３６の順に掛装されている。間欠送りロール３２とテンションロール３５との間には、ＰＴＰフィルム６の搬送経路に沿って、シート打抜装置３７が配設されている。シート打抜装置３７は、ＰＴＰフィルム６をＰＴＰシート１単位にその外縁を打抜く機能を有する。シート打抜装置３７により本実施形態における切離手段が構成される。
【００７４】
シート打抜装置３７によって打抜かれたＰＴＰシート１は、コンベア３９によって搬送され、完成品用ホッパ４０に一旦貯留される。但し、上記検査装置２２によって不良品と判定されたＰＴＰシート１は、完成品用ホッパ４０へ送られることなく、図示しない不良シート排出機構によって別途排出される。
【００７５】
前記連続送りロール３６の下流側には、裁断装置４１が配設されている。そして、シート打抜装置３７による打抜き後に帯状に残った残材部（スクラップ部）を構成する不要フィルム部４２は、テンションロール３５及び連続送りロール３６に案内された後、裁断装置４１に導かれる。尚、連続送りロール３６は従動ロールが圧接されており、不要フィルム部４２を挟持しながら搬送動作を行う。裁断装置４１は、不要フィルム部４２を所定寸法に裁断する。裁断された不要フィルム部４２（スクラップ）はスクラップ用ホッパ４３に貯留された後、別途廃棄処理される。
【００７６】
尚、上記各ロール１４，２０，２８，３１，３２などは、そのロール表面とポケット部２とが対向する位置関係となっているが、間欠送りロール１４等の表面には、ポケット部２が収容される凹部が形成されているため、ポケット部２が潰れてしまうことがない。また、ポケット部２が間欠送りロール１４等の各凹部に収容されながら送り動作が行われることで、間欠送り動作や連続送り動作が確実に行われる。
【００７７】
次いで、錠剤充填装置２１の構成について図面を参照して詳しく説明する。図９は錠剤充填装置２１の概略構成を示す部分断面模式図である。
【００７８】
図９に示すように、錠剤充填装置２１は、錠剤５の供給経路に沿って上流側より順に、貯留部４５、供給シュート４６、第一ロータリドラム４７及び第二ロータリドラム４８を備えている。第一ロータリドラム４７及び第二ロータリドラム４８により本実施形態における搬送手段が構成される。
【００７９】
さらに、錠剤充填装置２１は、第一ロータリドラム４７に対応して第一印刷装置６１を備え、第二ロータリドラム４８に対応して第二印刷装置６２を備えている。第一印刷装置６１により本実施形態における第二錠剤印刷手段が構成され、第二印刷装置６２により本実施形態における錠剤印刷手段が構成される。
【００８０】
また、錠剤充填装置２１の各機構部（貯留部４５、供給シュート４６、ロータリドラム４７，４８、印刷装置６１，６２）は、制御装置７１により駆動制御される。
【００８１】
次いで、錠剤充填装置２１の各機構部及び制御装置７１について詳しく説明する。
【００８２】
貯留部４５は、多数の錠剤５を貯留可能に構成されるとともに、ここから供給シュート４６へ錠剤５が順次供給されるように構成されている。貯留部４５に貯留される錠剤５には、服用時期情報部５Ｆ及び錠剤情報部５Ｇがそれぞれ未形成である。
【００８３】
供給シュート４６は、水平搬送される容器フィルム３の幅方向（図９の紙面奥行方向）における各ポケット部２の位置に対応して、それぞれ設けられている。つまり、本実施形態では、容器フィルム３の幅方向に沿って７本の供給シュート４６が並設されている。各供給シュート４６は、筒状をなし、錠剤５を横姿勢で鉛直方向に一列に積載できるよう構成されている。
【００８４】
また、各供給シュート４６は、その下側開口部が第一ロータリドラム４７に近接するように配置されている。より詳しくは、各供給シュート４６の下側開口部は、第一ロータリドラム４７の回転方向に沿って、第一ロータリドラム４７の後述する回転軸５４の真上位置よりも若干下流側にずれた所定位置に近接配置されている。
【００８５】
各供給シュート４６の下側開口部の近傍には、該下側開口部を開閉可能なシャッタ４６Ａが設けられている。そして、シャッタ４６Ａが開閉動作を行うことにより、各供給シュート４６から錠剤５を１錠ずつ自然落下させ、第一ロータリドラム４７へ供給することができるようになっている。
【００８６】
次に、第一ロータリドラム４７及び第二ロータリドラム４８について説明する。尚、第一ロータリドラム４７及び第二ロータリドラム４８は同一構成であるため、ここでは「ロータリドラム４７，４８」と総称して説明する。
【００８７】
ロータリドラム４７，４８は、円筒形状をなし、回転可能に軸支されている。ロータリドラム４７，４８は、その回転軸５４が容器フィルム３の幅方向に平行となるように配置されている。尚、回転軸５４は、図示しないモータ等の駆動手段に対し直接又は間接に連結されており、該モータによって回転駆動される。そして、ロータリドラム４７，４８は、回転軸５４の回転とともに一体回転する。
【００８８】
図１０，１１に示すように、ロータリドラム４７，４８の外周面には、錠剤５を吸着保持するための吸着部５５Ａが多数形成されている。吸着部５５Ａは、ロータリドラム４７，４８の周方向及び軸方向に所定間隔で規則的に配列されている。本実施形態では、容器フィルム３の幅方向における各ポケット部２の位置に対応して、ロータリドラム４７，４８の軸方向に等間隔で７つの吸着部５５Ａが設けられている。そして、この軸方向に並ぶ７つの吸着部５５Ａからなる列（以下、「吸着部５５Ａ列」という）がロータリドラム４７，４８の周方向に等間隔で７列設けられている。さらに、ロータリドラム４７，４８の周方向に対する吸着部５５Ａの形成間隔（ピッチ）は、容器フィルム３の搬送方向（図９の右向き方向）に対するポケット部２の形成間隔と同一間隔となっている。
【００８９】
各吸着部５５Ａは、ロータリドラム４７，４８の径方向に見た平面視で、略円形状をなし、錠剤５を収容可能な大きさを有している。また、各吸着部５５Ａは、ロータリドラム４７，４８の径方向に沿った断面視で略円弧状をなしている（図１２参照）。つまり、各吸着部５５Ａは、ロータリドラム４７，４８の外周面において略球面状に窪んだ凹部となっている。
【００９０】
本実施形態では、錠剤５を吸着部５５Ａにより吸着保持した状態において、錠剤５のテーパ部５Ｄ又はテーパ部５Ｅが吸着部５５Ａに接触し、錠剤５のうち服用時期情報部５Ｆや錠剤情報部５Ｇの形成される表面５Ｂ及び裏面５Ｃが吸着部５５Ａと非接触の状態となるように構成されている（図１２参照）。また、錠剤５を吸着部５５Ａにより吸着保持した状態では、錠剤５の一部がロータリドラム４７，４８の外周面より突出するようになっている。
【００９１】
さらに、各吸着部５５Ａの底部中央には、ロータリドラム４７，４８の径方向に沿って形成された吸引孔５５Ｂが開口している。また、ロータリドラム４７，４８内には、各吸着部５５Ａ列それぞれに対応するように軸方向に沿って延びる複数の通気路５５Ｃが設けられている。つまり、本実施形態では、ロータリドラム４７，４８の回転方向に等間隔で７本の通気路５５Ｃが設けられている。
【００９２】
各通気路５５Ｃは、ロータリドラム４７，４８の軸方向に並ぶ７つの吸引孔５５Ｂと連通している。また、各通気路５５Ｃは、ロータリドラム４７，４８の軸方向一端側の側面に開口している。そして、このロータリドラム４７，４８の軸方向一端側の側面（通気路５５Ｃが開口した側面）には、該側面を覆うようにして円板状の固定バルブ５６が設けられている。
【００９３】
固定バルブ５６内には、負圧空間部Ａ１と、大気開放空間部Ａ２とが形成されている。両空間部Ａ１，Ａ２は、それぞれロータリドラム４７，４８の回転方向に沿って円弧状に湾曲され、ロータリドラム４７，４８の軸方向一端側の側面と対向する対向面側に開口している（図１０参照）。尚、図１０，１１では、第二ロータリドラム４８に対応する両空間部Ａ１，Ａ２を示している。
【００９４】
負圧空間部Ａ１は、ロータリドラム４７，４８が所定方向（図９の各矢印方向）に回転するのに伴い位置変化する各通気路５５Ｃ（並びに、これに連通する吸引孔５５Ｂ及び吸着部５５Ａ）が、回転軸５４の略真上位置から略真下位置までを移動する間、継続して連通可能となる範囲に形成されている。さらに、負圧空間部Ａ１は、固定バルブ５６に形成された貫通孔５６Ａを介して、所定の真空ポンプ（図示略）に接続されている。
【００９５】
従って、真空ポンプが作動状態にある場合には、貫通孔５６Ａを介して負圧空間部Ａ１内の空気が吸引され、負圧空間部Ａ１内は常に真空引きされた状態（負圧が供給された状態）となる。ひいては、ロータリドラム４７，４８の回転に伴い、負圧空間部Ａ１と連通する所定位置の通気路５５Ｃも同様に真空引きされた状態となる。これにより、これらの通気路５５Ｃと連通した吸着部５５Ａに収容された錠剤５を吸引し、各吸着部５５Ａに吸着させることができる。
【００９６】
このように吸着部５５Ａに吸着された錠剤５は、ロータリドラム４７，４８の回転に伴い回転軸５４の略真上付近から略真下付近までを移送される間、吸着部５５Ａから脱落することなく、吸着部５５Ａに保持される。
【００９７】
大気開放空間部Ａ２は、ロータリドラム４７，４８が所定方向（図９の各矢印方向）に回転するのに伴い位置変化する各通気路５５Ｃ（並びに、これに連通する吸引孔５５Ｂ及び吸着部５５Ａ）が、回転軸５４の略真下位置から略真上位置までを移動する間、継続して連通可能となる範囲に形成されている。大気開放空間部Ａ２は、固定バルブ５６に形成された貫通孔５６Ｂを介して、常に大気に開放された状態となっている。
【００９８】
上記構成の下、図９に示すように、第一ロータリドラム４７及び第二ロータリドラム４８は、鉛直方向に互いに近接するように配置されている。さらに、第二ロータリドラム４８は、水平搬送される容器フィルム３と近接するように配置されている。
【００９９】
また、第一ロータリドラム４７及び第二ロータリドラム４８は、ＰＴＰ包装機１０による容器フィルム３の搬送動作と同期するように、同一の回転速度でそれぞれ所定方向（図９の各矢印方向）に常時連続回転するよう前記制御装置７１により駆動制御される。本実施形態では、図９の紙面上において、第一ロータリドラム４７は時計回り方向に連続回転し、第二ロータリドラム４８は反時計回り方向に連続回転する。
【０１００】
尚、第一ロータリドラム４７及び第二ロータリドラム４８には、それぞれ図示しないエンコーダが設けられており、該エンコーダから前記制御装置７１へ回転角度に関する信号が所定時間毎に出力される。これにより、前記制御装置７１は、第一ロータリドラム４７及び第二ロータリドラム４８の回転位置を把握可能であり、ひいては吸着搬送される錠剤５の位置を把握できるようになっている。
【０１０１】
また、第一ロータリドラム４７の真下位置かつ第二ロータリドラム４８の真上位置にあたる第三ポジションＰ３を、第一ロータリドラム４７の吸着部５５Ａが通過するタイミングと、第二ロータリドラム４８の吸着部５５Ａが通過するタイミングとが一致するように設定されている。
【０１０２】
さらに、第二ロータリドラム４８の真下位置にあたる第五ポジションＰ５を、第二ロータリドラム４８の吸着部５５Ａが通過するタイミングと、容器フィルム３のポケット部２が通過するタイミングとが一致するように設定されている。本実施形態では、第五ポジションＰ５が充填ポジションに相当する。
【０１０３】
次いで、第一印刷装置６１及び第二印刷装置６２について説明する。第一印刷装置６１及び第二印刷装置６２は、それぞれ所定のインクジェット方式（例えばピエゾ方式やサーマル方式）の印刷ヘッドを用いて錠剤５に対し非接触で印刷を行うことのできる公知の錠剤印刷装置である。印刷装置６１，６２は、それぞれ印刷ヘッド６３を備えており、該印刷ヘッド６３には、錠剤５に対しインクの液滴を吐出する複数の吐出ノズル６４が設けられている（図１３参照）。印刷装置６１，６２によって、複数の吐出ノズル６４から可食性インクの液滴を吐出し、錠剤５に対し文字や記号などの識別情報を印刷することができる。
【０１０４】
また、各印刷装置６１，６２は、所定の駆動手段（例えばモータ）を具備するとともに、該駆動手段から得られる駆動力によって印刷ヘッド６３を所定方向（本実施形態では、搬送されるカバーフィルム４の幅方向）に移動させることが可能な移動機構６５を備えている。本実施形態では、移動機構６５がヘッド移動手段に相当する。移動機構６５によって印刷ヘッド６３を定期的に移動させることで、印刷対象となる錠剤５と印刷ヘッド６３との相対位置関係を定期的に変化させることができる。尚、移動機構６５は前記制御装置７１によって動作制御され、移動機構６５による印刷ヘッド６３の移動は、例えば、一定時間毎に印刷装置６１，６２による印刷動作間のインターバルに合わせて行われる。
【０１０５】
第一印刷装置６１は、第一ロータリドラム４７の側方位置にあたる第二ポジションＰ２に配置されており、該第一ロータリドラム４７の軸方向に並ぶ７つの吸着部５５Ａ（錠剤５）に対応して７つの印刷ヘッド６３を有している。そして、第一印刷装置６１は、第一ロータリドラム４７により吸着搬送されて第二ポジションＰ２を通過する各錠剤５に向けて各印刷ヘッド６３からインクを吐出し、非接触で印刷を行う。
【０１０６】
第二印刷装置６２は、第二ロータリドラム４８の側方位置にあたる第四ポジションＰ４に配置されており、該第二ロータリドラム４８の軸方向に並ぶ７つの吸着部５５Ａ（錠剤５）に対応して７つの印刷ヘッドを有している。そして、第二印刷装置６２は、第二ロータリドラム４８により吸着搬送されて第四ポジションＰ４を通過する各錠剤５に向けて各印刷ヘッド６３からインクを吐出し、非接触で印刷を行う。
【０１０７】
制御装置７１は、演算手段としてのＣＰＵや、各種プログラムを記憶するＲＯＭ、各種データを一時的に記憶するＲＡＭ、情報を長期記憶するための記憶媒体（例えばハードディスク等）などを備えている。制御装置７１は、ＣＰＵが所定のプログラムを実行することによって、第一印刷装置６１及び第二印刷装置６２などの錠剤充填装置２１の各機構部に関する制御処理を実行する。本実施形態において、前記記憶媒体には、複数種類の服用時期情報部５Ｆに対応するための各種印刷データと、錠剤情報部５Ｇに対応するための印刷データとが記憶されている。
【０１０８】
制御装置７１は、錠剤情報部５Ｇに対応するための印刷データに基づき、第一印刷装置６１の動作を制御することによって、錠剤５に錠剤情報部５Ｇを形成する。
【０１０９】
また、制御装置７１は、服用時期情報部５Ｆに対応するための印刷データに基づき、第二印刷装置６２の動作を制御することにより、錠剤５に服用時期情報部５Ｆを形成する。
【０１１０】
ここで、制御装置７１による第二印刷装置６２の動作制御についてより具体的に説明する。尚、制御装置７１は、搬送される容器フィルム３においてその幅方向に並ぶポケット列がＰＴＰシート１における縦１列目、縦２列目及び縦３列目のうちのいずれとなるのかについて把握可能とされ、また、印刷対象となる１列に並んだ７つの錠剤５（１列に並んだ吸着部５５Ａに吸着された各錠剤５）が、ＰＴＰシート１における縦１列目、縦２列目及び縦３列目のうちのいずれのポケット列へと充填されるかについても把握可能とされている。
【０１１１】
制御装置７１は、まず、印刷対象となる１列に並んだ７つの錠剤５が、ＰＴＰシート１における縦１列目、縦２列目及び縦３列目のうちのいずれのポケット列に充填される予定であるのかを把握する。その上で、制御装置７１は、１列に並んだ各錠剤５に対し、これら錠剤５の並びに合わせた曜日順となるように曜日を示す文字を印刷し、また、各錠剤５に対し充填予定のポケット列に対応する時間帯を示す文字を印刷するように、第二印刷装置６２の動作を制御する。これにより、例えば、縦１列目のポケット列に対応する一列に並んだ各錠剤５には、時間帯を示す文字として「朝」が共通して印刷される。また、各錠剤５には、これら錠剤５の並び順と曜日順とが合うようにして、それぞれ異なる曜日を示す文字が印刷される。
【０１１２】
上記のような動作制御を行うことで、第二印刷装置６２によって、各錠剤５に対し、該錠剤５が充填される予定のポケット部２の位置に対応する服用時期情報部５Ｆが印刷形成される。例えば、ＰＴＰシート１における縦１列目横１列目のポケット部２に充填される予定の錠剤５に対し、服用時期情報部５Ｆとして、そのポケット部２に対応する情報（例えば「朝」という時間帯を示すための文字及び「月曜日」という曜日を示すための文字）が印刷形成される。また、縦１列目横２列目のポケット部２に充填される予定の錠剤５に対し、服用時期情報部５Ｆとして、そのポケット部２に対応する情報（例えば「朝」という時間帯を示すための文字及び「火曜日」という曜日を示すための文字）が印刷形成される。
【０１１３】
尚、錠剤５に割線が設けられている場合、ロータリドラム４７，４８により吸着搬送される錠剤５を撮像するためのカメラを設けるとともに、印刷データとして、文字や数字等の印刷パターンの向きを０度から３５９度の範囲で１度ずつ回転させたものを予め用意しておき、前記カメラにより得られた画像データにおける割線の向きに合わせて、用いる印刷データを選択するようにしてもよい。例えば、画像データにおいて所定の基準線に対する割線の傾斜角度が９０度である場合、複数の印刷データの中から、文字や数字等の印刷パターンの向きを９０度回転させたものを選択して用いるようにしてもよい。この場合には、錠剤５における割線を避けた所定位置に服用時期情報部５Ｆや錠剤情報部５Ｇをより正確に形成することができる。
【０１１４】
次に、容器フィルム３のポケット部２に錠剤５を充填する充填工程を中心として、ＰＴＰシート１の製造工程（製造方法）について図１４のフローチャートを参照して説明する。
【０１１５】
まず、ステップＳ１１のポケット部形成工程において、加熱装置１５によって比較的柔軟になった容器フィルム３に対し、ポケット部形成装置１６によってポケット部２を順次形成していく。
【０１１６】
次いで、ステップＳ１２の充填工程において、形成されたポケット部２へと錠剤５を充填する。充填工程Ｓ１２は、錠剤供給工程Ｓ１２１、第一印刷工程Ｓ１２２、第二印刷工程Ｓ１２３及び錠剤投入工程Ｓ１２４を含む。
【０１１７】
ステップＳ１２１の錠剤供給工程は、第一ロータリドラム４７へと錠剤５を供給する工程である。錠剤供給工程Ｓ１２１では、まず、第一ロータリドラム４７の回転に伴い移動する空の吸着部５５Ａが所定の第一ポジションＰ１（図９参照）に到達する所定のタイミングで、シャッタ４６Ａを開閉動作させる。シャッタ４６Ａの開閉動作により、各供給シュート４６から錠剤５が１つずつ落下し、第一ポジションＰ１へ移動してきた吸着部５５Ａに収容される。このとき、錠剤５を収容した吸着部５５Ａは真空引きされた状態となっているため、該錠剤５は吸着保持された状態となる。尚、供給シュート４６においては、１つの錠剤５が落下すると、その上の錠剤５が下側開口部まで降下して、シャッタ４６Ａにより落下が阻止された状態となる。第一ポジションＰ１は、供給シュート４６からの錠剤５の落下位置に相当するポジションである。
【０１１８】
次いで、ステップＳ１２２の第一印刷工程が行われる。すなわち、第一ロータリドラム４７の回転に伴い錠剤５が搬送され、前記第二ポジションＰ２に到達する所定のタイミングとなると、制御装置７１の制御により第一印刷装置６１を作動させる。これにより、第二ポジションＰ２を通過する錠剤５の非吸着面側に印刷が施され、錠剤５に錠剤情報部５Ｇが形成される。
【０１１９】
その後、第一ロータリドラム４７の回転に伴い、錠剤５が前記第三ポジションＰ３に配置されると、該錠剤５は吸着解除されて第二ロータリドラム４８へと受け渡される。このとき、第二ロータリドラム４８の吸着部５５Ａは真空引きされた状態となっているため、錠剤５は第二ロータリドラム４８によって吸着保持された状態となる。そして、第二ロータリドラム４８の回転に伴い、錠剤５は、第二印刷装置６２の方へと搬送されていく。
【０１２０】
次いで、ステップＳ１２３の第二印刷工程が行われる。すなわち、錠剤５が、第二ロータリドラム４８の回転に伴いさらに搬送され、前記第四ポジションＰ４に到達する所定のタイミングになると、制御装置７１の制御により第二印刷装置６２を作動させる。これにより、錠剤５における錠剤情報部５Ｇが形成された面（裏面５Ｃ）とは反対の面（表面５Ｂ）に服用時期情報部５Ｆが形成される。
【０１２１】
その後、ステップＳ１２４の錠剤投入工程が行われる。すなわち、第二ロータリドラム４８に吸着保持された錠剤５が前記第五ポジションＰ５に到達すると、該錠剤５が、該第五ポジションＰ５に位置する容器フィルム３のポケット部２内に入り込む。同時に、該錠剤５を吸着している第二ロータリドラム４８の吸着部５５Ａに係る通気路５５Ｃが大気開放空間部Ａ２と連通し、該錠剤５の吸着保持が解除される。これにより、第二ロータリドラム４８の吸着部５５Ａから錠剤５がポケット部２へと落下し、ポケット部２へと錠剤５が充填されることとなる。このとき、錠剤５は、服用時期情報部５Ｆの設けられた側の面（表面５Ｂ）がポケット部２と対向する状態でポケット部２へと充填される。
【０１２２】
充填工程Ｓ１２に続いて、ステップＳ１３の取着工程が行われる。取着工程Ｓ１３では、前記両ロール２０，２５間に容器フィルム３及びカバーフィルム４が送り込まれることで、容器フィルム３にカバーフィルム４が取着され、ＰＴＰフィルム６が得られる。尚、取着工程Ｓ１３の前に、蓋部対応印刷装置２６によって、カバーフィルム４における蓋部４Ａとなる部位に蓋側服用時期情報部４Ｂが予め印刷形成される。また、得られたＰＴＰフィルム６は、ポケット部２を塞ぐ蓋部４Ａに蓋側服用時期情報部４Ｂが設けられた状態となっている。
【０１２３】
そして、スリット形成装置３３や刻印装置３４による処理がＰＴＰフィルム６に施された後、ステップＳ１４の切離工程が行われることで、ＰＴＰシート１の製造工程が終了する。切離工程Ｓ１４では、シート打抜装置３７によりＰＴＰフィルム６が打抜かれて、ＰＴＰフィルム６からＰＴＰシート１が切離されることで、ＰＴＰシート１が製造される。
【０１２４】
以上詳述したように、本実施形態によれば、錠剤５自体に服用時期情報部５Ｆが設けられているため、この服用時期情報部５Ｆを確認することで、その錠剤５の服用時期を知ることができる。従って、ＰＴＰシート１から錠剤５を取出した後においても錠剤５の服用時期が分かることとなり、誤った時期における錠剤５の服用をより確実に防止することができる。
【０１２５】
また、ＰＴＰシート１から錠剤５を取出す前には、透明又は半透明のポケット部２を通して服用時期情報部５Ｆを確認することができ、ＰＴＰシート１から錠剤５を取出した後には、取出した該錠剤５の服用時期情報部５Ｆを確認することができる。すなわち、ＰＴＰシート１から錠剤５を取出す前と後と双方とにおいて、服用時期情報部５Ｆを確認することができる。そのため、誤った時期における錠剤５の服用を一層確実に防止することができる。
【０１２６】
さらに、少なくとも錠剤５を取出した後には、錠剤情報部５Ｇを確認することが可能となる。錠剤情報部５Ｇを確認することで、服用すべき正しい錠剤５であるか否かを把握することができ、誤った錠剤５の服用をより確実に防止することができる。
【０１２７】
加えて、カバーフィルム４の蓋部４Ａには、蓋側服用時期情報部４Ｂが設けられている。従って、カバーフィルム４側（錠剤５が取出される側）の面を見ながら錠剤５を取出そうとするときに、蓋側服用時期情報部４Ｂを見ることで、誤った錠剤５の取出しをより確実に防止することができる。これにより、誤った時期における錠剤５の服用防止をより効果的に図ることができる。
【０１２８】
また、ＰＴＰシート１の製造時には、ロータリドラム４７，４８によって錠剤５を吸着した状態で該錠剤５に対し印刷が施され、その後、第二ロータリドラム４８による吸着が解除されることで、ポケット部２へと錠剤５が充填される。すなわち、吸着状態で服用時期情報部５Ｆ及び錠剤情報部５Ｇの形成された錠剤５は、吸着状態を維持したまま第五ポジションＰ５側へと搬送され、第五ポジションＰ５にて吸着解除されることで、ポケット部２へと充填される。そのため、錠剤５が他の錠剤５やホッパ等と擦れ合うことがなくなり、服用時期情報部５Ｆや錠剤情報部５Ｇが削れたり欠けたりして印刷内容が不明瞭となることをより確実に防止できる。これにより、印刷内容が明瞭なＰＴＰシート１をより確実に得ることができる。
【０１２９】
さらに、第二印刷装置６２は、錠剤５の充填される予定のポケット部２の位置に対応した服用時期情報部５Ｆを該錠剤へと印刷する。これにより、服用時期の順で錠剤５が規則的に並んだＰＴＰシート１など、服用者にとって利用のしやすいＰＴＰシート１をより確実に得ることができる。
【０１３０】
加えて、印刷ヘッド６３をカバーフィルム４の幅方向に移動させる移動機構６５により印刷ヘッド６３と錠剤５との相対位置関係を定期的に変えることで吐出ノズル６４を均等に使用することにより吐出ノズル６４におけるインクの詰まりをより確実に防止することができる。その結果、服用時期情報部５Ｆや錠剤情報部５Ｇの印刷に係る不良をより生じにくくすることができ、不良錠剤ひいては不良シートの発生を抑えることができる。その結果、ＰＴＰシート１の製造に係るコストの増大抑制を効果的に図ることができる。
〔第２実施形態〕
次いで、第２実施形態について上記第１実施形態との相違点を中心に説明する。上記第１実施形態では、カバーフィルム４におけるポケット部２を塞ぐ蓋部４Ａに、該ポケット部２に充填される錠剤５の服用時期に関する情報を示す蓋側服用時期情報部４Ｂが印刷形成されている。
【０１３１】
これに対し、図１５に示すように、本第２実施形態では、カバーフィルム４のうち容器フィルム３の前記フランジ部３Ａへと取着される面に、錠剤５の服用時期に関する情報を示すフランジ側服用時期情報部４Ｃが該錠剤５の収容されるポケット部２に対応して印刷形成されている。フランジ側服用時期情報部４Ｃは、容器フィルム３側からＰＴＰシート１を見たとき、透明又は半透明のフランジ部３Ａを通して視認可能となっている（図１５，１７参照）。尚、フランジ側服用時期情報部４Ｃは、カバーフィルム４に予め印刷形成されている。
【０１３２】
本第２実施形態では、フランジ側服用時期情報部４Ｃとして、縦方向（ＰＴＰシート１の長手方向）に延びる３列のポケット列に対応する、時間帯を示す文字と、横方向（ＰＴＰシート１の短手方向）に延びる７列のポケット列に対応する、曜日を示す文字とが設けられている。このようなフランジ側服用時期情報部４Ｃによって、各ポケット部２は、時間帯に関する情報及び曜日に関する情報と関連付けられた状態となっている。例えば、縦１列目横１列目のポケット部２には、時間帯に関しては「朝」という情報が関連付けられ、曜日に関しては「月曜日」という情報（図では「月」という文字）が関連付けられた状態となっている。尚、ＰＴＰ包装機１０においては、図示しない位置合わせ手段等によりカバーフィルム４及び容器フィルム３の位置合わせが行われることで、容器フィルム３へとカバーフィルム４を取着したときに、ポケット部２の位置に合わせた適切な位置にフランジ側服用時期情報部４Ｃが設けられるようになっている。
【０１３３】
さらに、各ポケット部２には錠剤５が１つずつ収容されており、錠剤５には、上記第１実施形態と同様に、該錠剤５の服用時期に関する情報を示す服用時期情報部５Ｆが印刷形成されている（図１８参照）。そして、任意の１のポケット部２において、該ポケット部２に対応するフランジ側服用時期情報部４Ｃが示す情報と、該ポケット部２に充填される錠剤５の服用時期情報部５Ｆが示す情報とは、同一内容とされている。例えば、縦１列目横１列目のポケット部２に充填される錠剤５には、服用時期情報部５Ｆとして、「朝」という時間帯を示すための文字と「月曜日」という曜日を示すための文字とが印刷形成されており、縦１列目横１列目のポケット部２には、時間帯に関しては「朝」という情報が関連付けられ、曜日に関しては「月曜日」という情報が関連付けられた状態となっている。
【０１３４】
また、図１６に示すように、上記第１実施形態と同様、錠剤５のうち服用時期情報部５Ｆの設けられた面の裏面側には、錠剤情報部５Ｇが印刷形成されている。
【０１３５】
このように、本第２実施形態における錠剤５は、上記第１実施形態と同様、服用時期情報部５Ｆ及び錠剤情報部５Ｇを備えているが、上記第１実施形態とは表裏反転した状態でポケット部２へと収容されている。すなわち、本第２実施形態において、錠剤５は、服用時期情報部５Ｆの設けられた側の面がカバーフィルム４のうちポケット部２を塞ぐ部位(蓋部４Ａ)と対向した状態で該ポケット部２へと収容されている（図１８参照）。
【０１３６】
一方、錠剤５は、錠剤情報部５Ｇがポケット部２と対向した状態で該ポケット部２へと収容されている（図１６参照）。そのため、容器フィルム３側からＰＴＰシート１を見たとき、透明又は半透明のポケット部２を通して錠剤情報部５Ｇを視認することができるようになっている（図１７参照）。結果的に、本第２実施形態では、容器フィルム３側からＰＴＰシート１を見たとき、フランジ側服用時期情報部４Ｃと錠剤情報部５Ｇとを一度に確認することができるようになっている。
【０１３７】
次いで、本第２実施形態における錠剤充填装置２１について説明する。図１９に示すように、本第２実施形態における錠剤充填装置２１において、制御装置７１は、上記第１実施形態の第一印刷装置６１に対し行う制御処理を第二印刷装置８２に対し行い、上記第１実施形態の第二印刷装置６２に対し行う制御処理を第一印刷装置８１に対し行う。これにより、第一印刷装置８１によって錠剤５に服用時期情報部５Ｆが印刷形成され、第二印刷装置８２によって錠剤５に錠剤情報部５Ｇが印刷形成される。本第２実施形態では、第一印刷装置８１が錠剤印刷手段に相当し、第二印刷装置８２が第二錠剤印刷手段に相当する。
【０１３８】
そして、第二ロータリドラム４８によって、錠剤５は、服用時期情報部５Ｆの設けられた側の面がポケット部２の開口側に位置し、錠剤情報部５Ｇの設けられた側の面がポケット部２と対向するように該ポケット部２へと充填される。これにより、得られたＰＴＰシート１（ＰＴＰフィルム６）において、服用時期情報部５Ｆはカバーフィルム４側に位置し、錠剤情報部５Ｇはポケット部２側に位置することとなる。
【０１３９】
以上、本第２実施形態によれば、服用時期情報部５Ｆがカバーフィルム４側に位置するため、ＰＴＰシート１におけるカバーフィルム４側（錠剤５が取出される側）の面を見ながら錠剤５を取出したときに、取出された錠剤５の服用時期情報部５Ｆを直ちに確認することができる。従って、誤った時期における錠剤５の服用をより一層確実に防止することができる。
【０１４０】
さらに、フランジ側服用時期情報部４Ｃは、カバーフィルム４のうち容器フィルム３（フランジ部３Ａ）へと取着される面に設けられているため、錠剤５のサイズに関わらずフランジ側服用時期情報部４Ｃを大きく表示させることができる。従って、ＰＴＰシート１から錠剤５を取出す前においては、透明又は半透明のフランジ部３Ａを通してフランジ側服用時期情報部４Ｃを確認することで、錠剤５の服用時期をより容易に把握することができる。
【０１４１】
加えて、透明又は半透明のポケット部２を通して錠剤情報部５Ｇを確認することが可能となるため、ＰＴＰシート１から錠剤５を取出す前に、服用すべき正しい錠剤５であるか否かを把握することができる。これにより、誤った錠剤５の服用を一層確実に防止することができる。
【０１４２】
尚、上記第１実施形態で挙げた技術事項と、上記第２実施形態で挙げた技術事項とを適宜組合わせて利用することとしてもよい。
【０１４３】
尚、上記実施形態の記載内容に限定されず、例えば次のように実施してもよい。勿論、以下において例示しない他の応用例、変更例も当然可能である。
【０１４４】
（ａ）上記第２実施形態において、第二ロータリドラム４８は、服用時期情報部５Ｆの設けられた側の面がポケット部２の開口側に位置するように該ポケット部２へと錠剤５を充填するように構成されている。これに対し、第二ロータリドラム４８が、服用時期情報部５Ｆの設けられた側の面がポケット部２と対向するように該ポケット部２へと錠剤５を充填するように構成してもよい。
【０１４５】
このように構成することで、ＰＴＰシート１において、錠剤５は、服用時期情報部５Ｆの設けられた側の面がポケット部２と対向した状態で該ポケット部２へと収容される。そのため、図２０に示すように、錠剤５に設けられた服用時期情報部５Ｆと、カバーフィルム４に設けられたフランジ側服用時期情報部４Ｃとを透明又は半透明の容器フィルム３を通して確認することができる。従って、フランジ側服用時期情報部４Ｃと服用時期情報部５Ｆとを比較することが容易となり、ポケット部２に対応する服用時期の情報（フランジ側服用時期情報部４Ｃ）と、該ポケット部２に充填された錠剤５における服用時期の情報（服用時期情報部５Ｆ）とが正しい組合わせになっているか否かを容易に判別することができる。これにより、錠剤５の誤充填に関する検査を容易に行うことが可能となる。尚、錠剤５の誤充填に関する検査は、例えば、ＰＴＰシート１やＰＴＰフィルム６を撮像可能なカメラ等を備えた検査装置によって行うことができる。勿論、目視によって検査を行ってもよい。
【０１４６】
（ｂ）上記実施形態において、錠剤５は、表面５Ｂに服用時期情報部５Ｆを備え、裏面５Ｃに錠剤情報部５Ｇを備えるように構成されているが、錠剤５の表裏両面に服用時期情報部５Ｆを設けることとしてもよい。
【０１４７】
尚、錠剤５の表裏両面に服用時期情報部５Ｆを設ける場合、表裏両面において服用時期情報部５Ｆの内容を同一としてもよいし、異なるものとしてもよい。例えば、錠剤５の表面５Ｂに、服用時期情報部５Ｆとして曜日に関する情報を印刷形成し、錠剤５の裏面５Ｃに，服用時期情報部５Ｆとして時間帯に関する情報を印刷形成することとしてもよい。
【０１４８】
（ｃ）錠剤５は、通常比較的小さなものであるため、服用時期情報部５Ｆによって表すことができる情報の量には限りがある。そこで、カバーフィルム４のうちフランジ部３Ａへと取着される部位に、服用時期情報部５Ｆの内容を補完するための補完情報部（例えば、服用時期情報部５Ｆの内容を説明するための注意書きなど）を印刷形成し、服用時期情報部５Ｆ及び前記補完情報部に基づき、錠剤５の服用時期に関する情報をより正確にかつより詳細に把握することができるように構成してもよい。
【０１４９】
（ｄ）上記実施形態では、服用時期に関する情報として曜日及び時間帯を挙げているが、服用時期に関する情報はこれらに限られるものではなく、例えば、日付や服用の順番などであってもよい。
【０１５０】
（ｅ）上記実施形態では、錠剤５として、平面視円形状をなす円盤状の素錠（円盤形状の平錠）が例示されているが、錠剤の種別や形状等については、上記各実施形態に限定されるものではない。例えば錠剤には、医薬のみならず、飲食用に用いられる錠剤なども含まれる。また、錠剤には、素錠のみならず、糖衣錠やフィルムコーティング錠、口腔内崩壊錠、腸溶錠、ゼラチン被包錠などが含まれるのは勿論のこと、硬カプセルや軟カプセルなどの各種カプセル錠なども含まれる。さらに、錠剤の形状に関しては、例えば平面視円形状のみならず、平面視多角形状、平面視楕円形状、平面視長円形状等であってもよい。
【０１５１】
（ｆ）ＰＴＰシート１におけるポケット部２の配列や個数に関しては、上記実施形態に何ら限定されるものではなく、様々な配列、個数からなるＰＴＰシートを採用することができる。
【０１５２】
また、上記実施形態において、ＰＴＰフィルム６は、その幅方向に沿って１シート分に対応する数のポケット部２が配列された構成となっているが、これに限定されるものではなく、例えば、その幅方向に沿って複数シート分に対応する数のポケット部２が配列された構成であってもよい。
【０１５３】
（ｇ）錠剤５の搬送手段の構成は、上記実施形態に限定されるものではない。例えば上記実施形態では、搬送手段として円筒形状のロータリドラム４７等を用いたが、これに限らず、例えば無端の搬送ベルトなどを用いた構成としてもよい。
【０１５４】
（ｈ）上記実施形態において、印刷装置６１等は、インクジェット印刷装置によって構成されているが、印刷装置６１等をレーザ印刷装置等によって構成してもよい。
【符号の説明】
【０１５５】
１…ＰＴＰシート、２…ポケット部、３…容器フィルム、３Ａ…フランジ部、４…カバーフィルム、４Ｂ…蓋側服用時期情報部、４Ｃ…フランジ側服用時期情報部、５…錠剤、５Ｆ…服用時期情報部、５Ｇ…錠剤情報部、６…ＰＴＰフィルム、１０…ＰＴＰ包装機、２０…フィルム受けロール（取着手段）、２１…錠剤充填手段（充填手段）、２５…加熱ロール（取着手段）、２６…蓋部対応印刷装置（蓋部対応印刷手段）、３７…シート打抜装置（切離手段）、４７…第一ロータリドラム（搬送手段）、４８…第二ロータリドラム（搬送手段）、６１…第一印刷装置（第二錠剤印刷手段）、６２…第二印刷装置（錠剤印刷手段）、６３…印刷ヘッド、６４…吐出ノズル、６５…移動機構（ヘッド移動手段）、８１…第一印刷装置（錠剤印刷手段）、８２…第二印刷装置（第二錠剤印刷手段）。
【図１】
2020039532.tif 000003
【図２】
2020039532.tif 000004
【図３】
2020039532.tif 000005
【図４】
2020039532.tif 000006
【図５】
2020039532.tif 000007
【図６】
2020039532.tif 000008
【図７】
2020039532.tif 000009
【図８】
2020039532.tif 000010
【図９】
2020039532.tif 000011
【図１０】
2020039532.tif 000012
【図１１】
2020039532.tif 000013
【図１２】
2020039532.tif 000014
【図１３】
2020039532.tif 000015
【図１４】
2020039532.tif 000016
【図１５】
2020039532.tif 000017
【図１６】
2020039532.tif 000018
【図１７】
2020039532.tif 000019
【図１８】
2020039532.tif 000020
【図１９】
2020039532.tif 000021
【図２０】
2020039532.tif 000022